(57)【特許請求の範囲】
【請求項１】
略箱体をなし、端面を開口しているケースと、該ケースの前記端面を覆う蓋面を有するカバーと、前記ケースと前記カバーとの間に設けられ、前記ケースと前記カバーが開閉可能とするヒンジ部と、前記ケースと前記カバーとの閉止状態を保持する係合部と、を有する電気機器の開閉構造において、
前記係合部は、前記ケース内に配設され、その軸部が前記ケースの内面に略直交される軸部材、該軸部材の先端が軸部材押さえ部のガイド孔端面から出た状態で固定する軸受け部材、からなる被係止部と、前記カバーに取付けられる取付片と該取付け片の端部に連接して略長穴状の切り欠き部を連通させる略コ字状部とを備える結合部品、とからなる係止部と、を備え、
閉蓋時に、前記略コ字状部の先端側内面と前記ガイド孔端面と、前記略コ字状部の後端側外面と前記ケース内面とをそれぞれ合わせられ、かつ、前記切り欠き部に、該切り欠き部の先端側の長穴は前記軸部材が密着して嵌合し、前記切り欠き部の後端側の長穴は軸受け部材が密着して嵌合されるように前記被係止部を通すことを特徴とする電気機器の開閉構造。
【請求項２】
前記軸部材が、ねじであり、前記軸受け部材がナットであることを特徴とする請求項１記載の電気機器の開閉機構。
【発明の詳細な説明】
【技術分野】
【０００１】
本発明は、壁面等へ取付する火災受信機等の電気機器に関するものであり、更に述べると、電気機器のケースとカバーの開閉構造に関するものである。
【背景技術】
【０００２】
従来、壁面等へ取付する火災受信機の筺体と上扉の開閉構造においては、該筺体の扉を閉止状態に保持する際、ロック機構が用いられている。このロック機構は、該筺体及び扉に設けられ、扉を閉じたときに嵌合し、ロックするようになっている（例えば、特許文献１、参照）。
【０００３】
【特許文献１】特許第２５２００４６号公報
【発明の開示】
【発明が解決しようとする課題】
【０００４】
従来においては、筺体の扉を開閉するときに、該筺体や扉が撓んでいると、ロック機構を構成する部材同士がずれるために、完全に嵌合できない恐れがあった。そのため、長期的にロック機構自体に無理な力が加わることで、変形や破損を生じ、扉の開閉に支障をきたす恐れがあった。特に、近年、火災受信機等の軽量化が要求されて、撓みやすい樹脂材料の筺体が用いられるので、前記問題は、ますます深刻なものとなる。
【０００５】
この発明は、上記事情に鑑み、筺体に歪みが発生しても、カバーの開閉に支障をきたすことがない電気機器の開閉構造を提供することを目的とする。
【課題を解決するための手段】
【０００６】
この発明は、略箱体をなし、端面を開口しているケースと、該ケースの前記端面を覆う蓋面を有するカバーと、前記ケースと前記カバーとの間に設けられ、前記ケースと前記カバーが開閉可能とするヒンジ部と、前記ケースと前記カバーとの閉止状態を保持する係合部と、を有する電気機器の開閉構造において、前記係合部は、前記ケース内に配設され、その軸部が前記ケースの内面に略直交される軸部材、該軸部材の先端が軸部材押さえ部のガイド孔端面から出た状態で固定する軸受け部材、からなる被係止部と、前記カバーに取付けられる取付片と該取付け片の端部に連接して略長穴状の切り欠き部を連通させる略コ字状部とを備える結合部品、とからなる係止部と、を備え、閉蓋時に、前記略コ字状部の先端側内面と前記ガイド孔端面と、前記略コ字状部の後端側外面と前記ケース内面とをそれぞれ合わせられ、かつ、前記切り欠き部に、該切り欠き部の先端側の長穴は前記軸部材が密着して嵌合し、前記切り欠き部の後端側の長穴は軸受け部材が密着して嵌合されるように前記被係止部を通すことを特徴とする。この発明の前記軸部材が、ねじであり、前記軸受け部材がナットであることを特徴とする。
【発明の効果】
【０００７】
この発明によれば、結合部品の略コ字状部が、カバーの閉止時にケースの撓みを矯正するので、常にケースとカバーの位置関係を一定に保つために、カバーの開閉が確実にできる。よって、各部品が破損や変形するのを防止することができるので、カバーの開閉を円滑に行うことができる。
【発明を実施するための最良の形態】
【０００８】
この発明の第１実施の形態を図１〜図４により説明する。
電気機器、例えば、火災受信機１は、ケース(筐体)３と、該ケース３にヒンジ部４を介して連結されたカバー(蓋体)５と、ロック機構である係合部１２と、を備えている。この係合部１２は、係止部１９と被係止部７とから構成されている。
【０００９】
前記ケース３は、樹脂材料により形成されており、略箱体をなし、その端面３ａは開口している。該ケース３には、被係止部７が設けられている。この被係止部７は、前記ケース３の側面３ｓに穿設した貫通孔８と、該貫通孔８に外側から挿入される軸部材、例えば、ねじ９と、該ねじ９に螺着される軸受部材、例えば、ナット１１と、該ねじ９の先端９ａ側が挿入される、ガイド孔(図示省略)を有する軸部材押さえ部１０と、を備えている。前記ねじ９は、ケース３の内面３ａに直交する様に挿入されており、前記ナット１１は、前記ねじ９の先端９ａが軸部材押さえ部１０のガイド孔端面１０ａから出た状態でねじ９を固定する。
【００１０】
前記カバー５は、前記ケース３の前記端面３ａを覆う蓋面５ａを有している。前記カバー５には、前記被係止部７に係合する係止部１９が設けられている
が、この係止部１９として、結合部品２０が用いられている。前記結合部品２０は、断面が略ｄ字状をなし、図２に示すように、取付孔２１を有する取付片２３と、該取付片２３の端部に連接して略長穴状の切り欠き部２５を連通させる略コ字状部２７と、を備えている。この切か欠き部２５の先端側の長穴２５ａは、ねじ９のねじ部に密着して嵌合できる大きさに形成され、又、その後端側の長孔２５ｂは、ナット１１が密着して嵌合できる大きさに形成されている。これにより、ねじ９の径方向のがたつきをなくすことができる。
【００１１】
本実施の形態では、カバー５を閉じたとき（閉蓋時）、前記略コ字状部２７の先端側内面２７ａと前記ガイド孔端面１０ａと、その後端側外面２７ｂと前記ケース３の内面３ｂとが、それぞれ合わせられ、かつ、前記切り欠き部２５に前記被係止部７を通せる(嵌合して保持する)様に構成されている。
【００１２】
次に、本実施の形態の作動について説明する。
閉蓋状態時において、カバー５を持上げ矢印Ａ５方向に回動させると、図１、図４に示すように、係止部の結合部品２０が被係止部７のねじ９から離れ、両者の嵌着（係合）は解除され、開蓋状態となるので、ケース３の収納部品は露出する。このとき、カバ−５は、ヒンジ部４を介してケース３に支持されているので、両者は、分離することはない。
【００１３】
次に、カバー５を前記と逆方向に回動させると、係止部１９の結合部品２０が被係止部７のねじ９に次第に近づき、切り欠き部２５はねじ９に嵌合し固定される。このとき、結合部品２０の前記略コ字状部２７の先端側内面２７ａと前記ガイド孔端面１０ａと、その後端側外面２７ｂと前記ケース３の内面３ｂとが、それぞれ合わせられ、かつ、前記切り欠き部２５に前記被係止部７が通される(嵌合して保持する)。
【００１４】
本実施形態の電気機器のケース３のように、一般的に大型で薄肉の箱体は、各側面の端部付近が、内向きにたわみ易く、特に、側面の中央寄りほど、その傾向が大きい。また、樹脂材料は、金属材料より強度が低い上に、成形条件や温度変化による影響も考慮する必要がある。従って、カバー５が開放されているときは、ケース３の側面３ａでは、矢印Ａ方向にたわむ傾向がある。
一方、カバー５を閉止するときは、結合部品２０の略コ字状部２７の後端部外面２７ｂの脇の曲線部がケース３の内面３ｂをすべりながら矢印Ｂの方向に押すことで、円滑に嵌合する。即ち、閉止時に、ケース３の側面３ｓのたわみは元に戻される。
このように、結合部品２０の略コ字状部２７が、カバー５の閉止時にケース３の側面３ｓの矢印Ａの方向のたわみを矯正するので、常にケース３とカバー５の位置関係を一定に保つために、カバー５の開閉が確実にできる。
【００１５】
この発明の実施の形態は、上記に限定されるものではなく、例えば、係合部は、２箇所以上配設しても良い。
又、軸受け部材としてナットを用いる代わりに、軸部材押さえ部１０のガイド孔に雌ねじを切り、これにねじ９を螺着しても良い。
更に、軸部材は、その軸部が前記ケース３の内面３ａに略直交されればよいので、例えば、平行ピンなどをガイド孔から内面３ａまで圧入しても良い。この場合、ケース３の側面３ｓに軸部材が見えないため、美観がよくなる。
【図面の簡単な説明】
【００１６】
【図１】本発明の第１実施の形態を示す正面図である。
【図２】結合部品の拡大斜視図である。
【図３】カバーの閉蓋状態を示す要部拡大図である。
【図４】カバーの開放状態を示す要部拡大図である。
【符号の説明】
【００１７】
１    電気機器
３    ケース
４    ヒンジ部
５    カバー
７    被係止部
８    貫通孔
９    軸部材
１１  軸受け部材
１９  係止部
２０  結合部品
２３  取付片
２５  切り欠き部
２７  コ字状部
【図１】
0004727685.tif 000002
【図２】
0004727685.tif 000003
【図３】
0004727685.tif 000004
【図４】
0004727685.tif 000005